(57)【要約】【目的】人気漫画の主人公やタレントなどのキャラクター情報を含む、ストーリー性あるアニメーションや静止画像などの素材情報と、ユーザーの撮像データを一体化させることで、オリジナルな絵本を作成できるようにし、ユーザーとりわけ幼児に夢のある絵本を提供すること。【構成】カメラ２で撮影したユーザーの撮像データと記憶部１４から読み出したアニメーション映像又は連続する静止画像の１場面からなる背景情報とを合成した合成画像を、シール用印刷手段１１でシール上に印刷し、表示部３に表示されるストーリーが反映された文字情報とキャラクター情報とを、台紙印刷手段１２で台紙上に印刷し、該台紙を切り張りして得られた絵本上に前記シールを貼付することで、ストーリー中にユーザーが登場するオリジナルな絵本を作成する。【選択図】        図１
2004173039.tif 000002
【特許請求の範囲】
【請求項１】
少なくとも、ユーザーの撮像データを撮影するための撮影手段と、備え付けのシールに前記撮像データを印刷するための印刷手段とを備えた画像プリント供給装置において、絵本を作成するための手段として、ストーリー性を有するアニメーション映像又は連続する静止画像からなる複数の絵本の素材情報と、該素材情報を記憶する記憶部と、メニュー表示された前記複数の素材情報の中から所望の素材情報を選択するための選択手段と、画像を印刷したシールを貼付するための絵本の台紙とを有しており、選択された素材情報に係るアニメーション映像又は連続する静止画像の、少なくとも１場面の背景画像と前記ユーザーの撮像データとを合成し、それにより得られた合成画像を印刷した前記シールを前記台紙上に貼付することで、ユーザーが物語に登場するオリジナル絵本を作成できることを特徴とする絵本作成手段付き画像プリント供給装置。
【請求項２】
前記記憶部には、前記素材情報毎に対応するストーリーが記憶されており、素材情報を選択することでその対応ストーリーが読み出され、前記印刷手段によって前記台紙上に印刷されることを特徴とする請求項１記載の絵本作成手段付き画像プリント供給装置。
【請求項３】
前記記憶部には、前記素材情報毎に対応するナレーションが記憶されており、素材情報を選択することでその対応ナレーションが読み出され、スピーカーからその音声が出力されることを特徴とする請求項１又は請求項２記載の絵本作成手段付き画像プリント供給装置。
【請求項４】
前記記憶部には、選択された前記素材情報毎にユーザーを撮影する撮影タイミングが記憶されるとともに、該撮影タイミングを告知するための告知手段が設けられていることを特徴とする請求項１乃至請求項３記載の絵本作成手段付き画像プリント供給装置。
【請求項５】
前記素材情報を選択することで、対応するアニメーション映像又は連続する静止画像が前記記憶部から読み出され、モニタに描出されることを特徴とする請求項１乃至請求項４記載の絵本作成手段付き画像プリント供給装置。
【請求項６】
前記素材情報には、人物又は漫画の主人公など、現存の又は架空のキャラクター情報を含むことを特徴とする請求項１乃至請求項５記載の絵本作成手段付き画像プリント供給装置。
【発明の詳細な説明】
【０００１】
【産業上の利用分野】
本発明は、出願人が最初に開発した「プリント倶楽部」（愛称：「プリクラ」）の名で親しまれる画像プリント供給装置の発展型に係り、主として娯楽機械の分野で利用されるものである。
【０００２】
【従来の技術】
従来の画像プリント供給装置は、カーテン等で仕切られた撮影ルーム内で、様々なポーズや表情を作ったユーザーを撮影し、撮影により取得された撮像データに書き込みを行ったり、予め記憶された背景データと合成したものを、複数に分割するなどしてシール上に印刷し、ユーザーに供給するというものであった。
【０００３】
また、昨今では、より娯楽性を持たせるため、恰も、ディスコやクラブで撮影したかのような画像プリントを提供できるタイプや、観光地で撮影したかのようなご当地の背景データと合成した画像プリントを供給できるタイプなど、様々の機種が開発されているが、画像プリントされたシールについては、ただ、これをノートや手帳又は携帯電話等に貼り付けるだけで、それ以外の用途に使用できるようにしたものは殆ど存在しなかった。
【０００４】
最近では、特開平１０−１１５８６６号の公報に示されるように、撮影した動画像を一定時間間隔で一定枚数を挿入し、これとグラフィックキャラクタ（背景画）とを合成したカット画像を配列して、１枚の分割写真画像として作成してプリントすることで、配列順に切り離してリングで綴ったり小冊子に貼付することで、連続写真のようにして楽しめるようにしたものや、特開平１１−９５３１２号の公報に示されるように、ストーリーが完結する複数のキャラクタ画像（背景画）毎に利用者の撮影を行い、その合成データをフレーム単位画像として記憶しておき、タイマが設定時刻になると順次、次ぎのフレーム単位画像を読み出すようにすることで、所定期間毎にストーリー性のある画像プリントを供給できるようにしたものなどが開発されている。
【０００５】
しかしながら、前者は動画像を一定間隔で抽出したものと背景画とを合成した画像を一枚のシールに分割・配列してプリントするものであるため、連続写真として楽しむことができるだけであり、また、後者についてもタイマにより所定期間毎にストーリーが完結する複数のフレーム単位画像が読み出されるものであるため、プリントしたシール自体を他の用途で利用できるものではなかった。
【０００６】
【発明が解決しようとする課題】
そこで、出願人は、画像プリント供給装置によってプリントされたシールの利用性をより高めるため、プリントされたシールを用いて絵本を作成できるようにすることを課題として、本発明を開発するに至ったものである。
【０００７】
【課題を解決するための手段】
本発明では、前記課題を解決するための手段として、少なくとも、ユーザーの撮像データを撮影するための撮影手段と、備え付けのシールに前記撮像データを印刷するための印刷手段とを備えた画像プリント供給装置において、絵本を作成するための手段として、ストーリー性を有するアニメーション映像又は連続する静止画像からなる複数の絵本の素材情報と、該素材情報を記憶する記憶部と、メニュー表示された前記複数の素材情報の中から所望の素材情報を選択するための選択手段と、画像を印刷したシールを貼付するための絵本の台紙とを有しており、選択された素材情報に係るアニメーション映像又は連続する静止画像の、少なくとも１場面の背景画像と前記ユーザーの撮像データとを合成し、それにより得られた合成画像を印刷した前記シールを前記台紙上に貼付することで、ユーザーが物語に登場するオリジナル絵本を作成できる、絵本作成手段付き画像プリント供給装置（請求項１）を提案する。
【０００８】
また、本発明では、選択された素材情報毎に異なる台紙を準備せずに済むよう、請求項１記載の発明において、前記記憶部には、前記素材情報毎に対応するストーリーが記憶されており、素材情報を選択することでその対応ストーリーが読み出され、前記印刷手段によって前記台紙上に印刷される、絵本作成手段付き画像プリント供給装置（請求項２）も提案する。
【０００９】
また、本発明では、選択された素材情報に応じてナレーションが流れることで、幼児も楽しめるよう、請求項１又は請求項２記載の発明において、前記記憶部には、前記素材情報毎に対応するナレーションが記憶されており、素材情報を選択することでその対応ナレーションが読み出され、スピーカーからその音声が出力される、絵本作成手段付き画像プリント供給装置（請求項３）も提案する。
【００１０】
また、本発明では、台紙に貼付するための撮影を行うタイミングを幼児にも分り易く知らせるため、請求項１乃至請求項３記載の発明において、前記記憶部には、選択された前記素材情報毎にユーザーを撮影する撮影タイミングが記憶されるとともに、該撮影タイミングを告知するための告知手段が設けられている、絵本作成手段付き画像プリント供給装置（請求項４）も提案する。
【００１１】
更に、本発明では、恰も映画や紙芝居を見ているかの如く臨場感を高め、幼児などのユーザーと物語との一体化が図れるようにするため、請求項１乃至請求項４記載の発明において、前記素材情報を選択することで、対応するアニメーション映像又は連続する静止画像が前記記憶部から読み出され、モニタに描出される、絵本作成手段付き画像プリント供給装置（請求項５）も提案する。
【００１２】
加えて、本発明では、より親しみのある絵本を作成できるよう、請求項１乃至請求項５記載の発明において、前記素材情報には、人物又は漫画の主人公など、現存の又は架空のキャラクター情報を含んでなる、絵本作成手段付き画像プリント供給装置（請求項６）も提案する。
【００１３】
【作用】
請求項１の発明では、ストーリー性を有するアニメーション映像又は連続する画像情報の１場面からなる背景情報とユーザーの撮像データとを合成し、該合成画像を印刷したシールを前記台紙上に貼付できるようにしたことで、ユーザーが登場するオリジナルな絵本を作成することができる。
【００１４】
請求項２の発明では、素材情報に対応するストーリーが台紙上に印刷されるようにしたことで、素材情報毎に異なる台紙を準備しておく必要がない。
【００１５】
請求項３の発明では、素材情報に対応するナレーションが流れるようにしたことで、幼児などがより臨場感をもって楽しむことができる。
【００１６】
請求項４の発明では、撮影のタイミングを告知できるようにしたことで、幼児であっても撮影時期を容易に理解できるため、間違いのない撮影を行うことができる。
【００１７】
請求項５の発明では、素材情報を選択することで、対応するアニメーション映像や連続する静止画像がモニタ表示されるようにしたことで、映画や紙芝居の主人公になった如く、より臨場感のある撮影を行うことができる。
【００１８】
請求項６の発明では、前記素材情報にテレビなどで人気のある人物や漫画の主人公キャラクターを用いることで、より親しみのある絵本を作成することができる。
【００１９】
【発明の実施の形態】
以下、本発明の実施の形態を図面に基づいて説明する。図１は本発明に係る絵本作成手段付き画像プリント供給装置の実施例を示す概略斜視図、図２は本装置の構成を示すシステム図、図３は本装置の処理の流れを示すフローチャート、図４はユーザーに払い出される台紙の実施例を示す概略平面図、図５は切り張りした絵本の実施例を示す概略斜視図、図６はユーザーに払い出されるシールの実施例を示す概略平面図である。
【００２０】
本発明に係る絵本作成手段付き画像プリント供給装置は、図１に示すとおり、印刷されたシールの払出口７に加えて、台紙の払出口８が視認できるほかは、見た目には従来の画像プリント供給装置と大きく変わるところがない。すなわち、装置の本体１には、前記したシールの払出口７と台紙の払出口８のほか、ユーザーを撮影するための撮影手段たるカメラ２と、該カメラ２によって撮影されたユーザーの撮像や背景情報を表示する表示部３と、各種情報を入出力するためのタッチパネル４と、各種情報の選択を行うための選択ボタン５と、各種音声を出力するためのスピーカ６、更には、撮影に際してユーザーを照らし出すための照明１０などが設けられている。また、本体１と対向する撮影ルーム側には、撮影を支援するための台座９が設けられている。
【００２１】
次に、本装置を構成する要素については、図２に示すとおり、前記カメラ２や表示部３、タッチパネル４、選択ボタン５、スピーカ６に加え、シールに画像を印刷するためのシール用印刷手段１１、台紙にストーリーなどを印刷するための台紙用印刷手段１２、更には、各種の素材情報が記憶される記憶部１４などが、インターフェイス１５を介してデータの演算処理を行うＣＰＵ１３と回路的に接続されている。なお、印刷手段については、図示した実施例では、シール用と台紙用の２台を用いているが、１台でその双方への印刷を行うようにしても良い。
【００２２】
次に、図２及び図３を用いて、本装置の処理の流れを説明する。先ず、本体１に設けられた電源を投入して本装置を立ち上げると（図３中「起動」）、モード設定に従い装置の初期化が行われる（図３中「初期処理」）。初期化が終了すると、表示部３に広告等の表示が開始され、ユーザーによる利用を待機する状態となる（図３中「アドバタイズ表示」）。
【００２３】
本装置の利用を希望するユーザーが課金装置１６に利用料金を投入すると、課金装置１６内の料金カウンターによってカウントされた投入金額によりクレジットが成立するかどうかの確認が行われ（図３中「クレジット成立したか？」）、成立した場合は（図３中「Ｙｅｓ」）、ＣＰＵ１３の指令により記憶部１４から複数のストーリーが読み出され、選択可能な状態で表示部３に画面表示される（図３中「ストーリー選択画面」）。なお、投入金額によってはクレジットが成立しない場合は（図３中「Ｎｏ」）、クレジット成立が確認されるまで広告等の表示が繰り返し行われることになる。
【００２４】
本発明におけるストーリーについて説明すると、ストーリーとはストーリー性を有するアニメーション映像や連続する静止画像など、作成される絵本の素材となる素材情報をいい、文字情報のほか、テレビや雑誌などで広く知られる人気漫画の主人公やスポーツ選手、タレントなど、現存する又は架空のキャラクター情報を含んでいる。素材情報には更に、人気漫画シリーズや人気スポーツ選手シリーズ、人気タレントシリーズなど、複数のジャンルを含めることもでき、これを最初に選択可能に表示してユーザーに選択させ、選択されたジャンル内の複数のストーリーの中から、更に所望のストーリーを選択させるようにしても良い。
【００２５】
このようにして、表示部３に複数のストーリーが表示され、ユーザーが選択ボタン５を用いてその中から所望のストーリーを選択すると、本装置のゲーム進行の処理の流れ（印刷までの処理の流れ）が文字又は音声にて説明されると共に、ストーリー中に反映されるユーザーの名前の入力が促されるので、これを入力する（図３中「説明＆名前入力」）。なお、前記説明には選択されたストーリーに関する説明を含めることもできる。
【００２６】
ユーザーの名前の入力が完了すると、選択されたストーリーに基づく素材情報が読み出され、そのアニメーション映像又は連続する静止画像が表示部３に表示され、ストーリーが進行し、その中途でカメラ２によってユーザーの撮影が行われる（図３中「ストーリー進行＆写真撮影」）。進行するストーリーは、表示部３に画面表示されるだけでなく、スピーカ６から対応するナレーションも流れるようにすることで、より臨場感を高めることができる。ユーザーの撮像データを取得するための撮影は、ストーリー進行中に複数回にわたって行われ、取得されたユーザーの撮像データは、前記選択された素材情報に対応するアニメーション映像又は連続する静止画像の少なくとも１場面の背景情報と合成され、その合成画像は後述する印刷のために記憶される。また、入力されたユーザーの名前又は取得されたユーザーの撮像データを、その後進行するストーリーに係るアニメーション映像又は静止画像の中に画面表示し、恰も、ユーザー自らがストーリーに登場する人物であるかの如き臨場感を得られるようにしても良い。
【００２７】
なお、撮影に際しては、撮影時にポーズなどを決められるよう、そのタイミングを告知するブザーなどの告知手段が設けてあることが望ましい。実施例では、ストーリー毎に撮影タイミングが設定されたタイムテーブルと、それに従って撮影のカウントダウンを読み上げるスピーカ６とが告知手段としての機能を果たしている。また、撮影は複数回にわたって行われ、追って、印刷する写真を選択できるようにしておくことが望ましい。
【００２８】
かくして、ストーリー進行が終わり、全ての撮影が完了すると、撮影した全ての撮像データ若しくはこれと背景画像との合成画像が表示部３に選択可能に表示されるので（図３中「写真選択画面」）、ユーザーは選択ボタン５を用いて台紙に設けられたカット数に応じた枚数の撮像データ又は合成画像を選択する。
【００２９】
撮像データ又は合成画像の選択が終了すると、そのシール上への印刷がシール用印刷手段１１によって行われると共に、選択したストーリーに係る文字情報やキャラクター情報などの素材情報が台紙用印刷手段１２によって台紙上に印刷される（図３中「印刷処理」）。なお、実施例では、短時間で印刷処理を行うことで装置の利用効率性を高めるため、シール用と台紙用のそれぞれに独立した印刷手段を用いているが、若干のタイムロスはあるものの、装置のコストダウンを優先するのであれば、１台の印刷手段でシールと台紙の双方を印刷するようにしても良い。
【００３０】
印刷処理が開始されると、印刷が終了してシールと台紙が払い出されるまでの間、ユーザーが退屈したり手持ち無沙汰とならないよう、他のジャンルやストーリーの紹介若しくは広告などが読み出されて表示される（図３中「インストラクション」）。印刷が終了すると、シール印刷手段１１によって印刷されたシールはシールの払出口７から、台紙印刷手段１２によって印刷された台紙は台紙の払出口８から、それぞれ払い出される（図３中「払出し」）。
【００３１】
払い出された台紙は、選択したストーリーに係る文字情報やキャラクター情報などの素材情報に加え、図４に示すとおり、切り張りすることで絵本が形成されるよう絵本の作り方や、装置の設置店舗に関する広告などが印刷されており、「作り方」の指示に従って切り張りすることで、図５に示すような絵本が出来るようになっている。また、台紙には前記ストーリーの進行中に撮影した撮像データ又は合成画像が印刷されたシールを貼付するための余白が、各場面で撮影したカット数だけ設けられている。
【００３２】
また、払い出されたシールは、図６に示すように、大判、小判などサイズの異なる複数のシールが含まれており、また、シールに印刷されるユーザーの撮像データ又はこれと背景情報との合成画像は、前記複数の撮像データ又は合成画像の中から選択されたものであり、前記台紙に設けられた場面毎の余白部分に対応するシールを貼付する。図４乃至図６の実施例では、切り張りにより完成した絵本の表表紙と裏表紙には大判のシールを貼付し、ストーリー中の場面毎の余白には小判のシールを貼付するようになっている。
【００３３】
このようにして、台紙を切り張りすることで出来あがった絵本の全ての余白に、各場面に応じたシールを貼付することで、ユーザーがストーリー中に登場する、この世に一つしかないオリジナル絵本が作成される。
【００３４】
なお、前記シールと台紙の払出しが完了すると、本装置は広告等を表示する段階（図３中「アドバタイズ表示」）に復帰し、新たなユーザーの利用を待機する状態となる。
【００３５】
【発明の効果】
本発明に係る絵本作成手段付き画像プリント供給装置は、従来は、払い出されたシールを手帳やフォルダ、携帯電話などに貼付して楽しむだけであったものを、
ストーリー性を有するアニメーション映像や連続する静止画像の１場面からなる背景情報とユーザーの撮像データとの合成画像をシール上に印刷し、これを台紙を切り張りして得られた絵本に貼付することで、この世に１つしかないオリジナル絵本を作成することができるため、その利用範囲を広めることができた。
【００３６】
また、アニメーション映像や連続する静止画像などの素材情報に人気漫画の主人公やタレントなどのキャラクター情報を付加することで、より親しみのあるものとし、また、これをモニタ表示したり、ナレーションや撮影時を告知することで、撮影の主体が幼児であっても、間違いのない撮影を行い、恰も自らが主人公であるかの如く、臨場感を高めることができる。
【００３７】
【図面の簡単な説明】
【図１】本発明に係る絵本作成手段付き画像プリント供給装置の実施例を示す概略斜視図である。
【図２】本装置の構成を示すシステム図である。
【図３】本装置の処理の流れを示すフローチャートである。
【図４】ユーザーに払い出される台紙の実施例を示す概略平面図である。
【図５】切り張りした絵本の実施例を示す概略斜視図である。
【図６】ユーザーに払い出されるシールの実施例を示す概略平面図である。
【符号の説明】
１    本体
２    カメラ
３    表示部
４    タッチパネル
５    選択ボタン
６    スピーカ
７    シールの払出口
８    台紙の払出口
９    台座
１０    照明
１１    シール用印刷手段
１２    台紙用印刷手段
１３    ＣＰＵ
１４    記憶部
１５    インターフェイス
【図１】
2004173039.tif 000003
【図２】
2004173039.tif 000004
【図３】
2004173039.tif 000005
【図４】
2004173039.tif 000006
【図５】
2004173039.tif 000007
【図６】
2004173039.tif 000008